(57)【要約】【課題】熱い飲料等が充填された容器であっても、装着することで把持しやすくすることのできる蓋を提供する。【解決手段】本発明の蓋１は、容器の開口部に装着する蓋であって、外周に前記容器の開口部の縁と嵌合する嵌合溝３を有する天板部４と、前記嵌合溝３の外周の少なくとも一部に、前記天板部４に対して略垂直下方に延出して設けられ、前記容器の少なくとも開口部側の外側面を覆うスカート部５とを備えたことを特徴とする。【選択図】図１
2008155972.tif 000002
【特許請求の範囲】
【請求項１】
容器の開口部に装着する蓋であって、
外周に前記容器の開口部の縁と嵌合する嵌合部を有する天板部と、
前記嵌合部の外周の少なくとも一部に、前記天板部に対して略垂直下方に延出して設けられ、前記容器の少なくとも開口部側の外側面を覆うスカート部と、
を備えたことを特徴とする蓋。
【請求項２】
前記スカート部は、前記スカート部の形状変化が前記嵌合部に伝達することを遮断する形状変化遮断部を有することを特徴とする請求項１に記載の蓋。
【請求項３】
前記スカート部は、
前記天板部に対して略垂直下方に延出して設けられ、前記容器の少なくとも開口部側の外側面を覆う下行部と、
前記下行部の下端から前記嵌合部に向けて略垂直上方に折り返されるように延出して設けられた上行部と、
を有することを特徴とする請求項１に記載の蓋。
【請求項４】
前記スカート部に凹凸部が設けられていることを特徴とする請求項１から３のいずれか１項に記載の蓋。
【請求項５】
前記スカート部は蛇腹状に形成されており、最も伸長したときに前記容器の少なくとも開口部側の外側面を覆うように構成されていることを特徴とする請求項１に記載の蓋。
【請求項６】
前記天板部に飲み口が設けられていることを特徴とする請求項１から５のいずれか１項に記載の蓋。
【発明の詳細な説明】
【技術分野】
【０００１】
本発明は、飲料等の容器の開口部に装着する蓋に関する。
【背景技術】
【０００２】
従来、紙コップ等の容器に熱い飲料や食品等を充填して飲食用に供する際には、そのままでは熱くて把持することが困難であるため、容器の表面に発泡層を設けて容器の側面に断熱性を付与することによって、熱い飲料等が入っていても把持しやすく構成されたものが提案されている（例えば、特許文献１参照。）。
また、カップ麺やスープ、味噌汁などの、熱湯を注いで調理して食する食品用の容器として、カップ状容器を二重構造として断熱空間を持たせたものが広く採用されている（例えば、特許文献２参照。）。
【特許文献１】特許第３０１４６２９号公報
【特許文献２】実用新案登録第２５７１７９７号公報
【発明の開示】
【発明が解決しようとする課題】
【０００３】
しかしながら、上記特許文献１に開示された技術では、断熱効果が充分ではない。特に、８０℃以上の飲料等が充填されている場合、特許文献１の容器でも熱くて把持することは困難である。このような場合、ある程度飲料等の温度が下がるまで飲食ができず、飲料等の風味を充分楽しめない場合がある。
また、上記特許文献２に記載された容器は、比較的高い断熱性を有するものの、構造が複雑で高価であるという欠点がある。
【０００４】
本発明は上記事情に鑑みて成されたものであり、熱い飲料等が充填された容器であっても、装着することで把持しやすくすることのできる蓋を提供することを目的とする。
【課題を解決するための手段】
【０００５】
本発明の蓋は、容器の開口部に装着する蓋であって、外周に前記容器の開口部の縁と嵌合する嵌合部を有する天板部と、前記嵌合部の外周の少なくとも一部に、前記天板部に対して略垂直下方に延出して設けられ、前記容器の少なくとも開口部側の外側面を覆うスカート部とを備えたことを特徴とする。
【０００６】
本発明の蓋を容器に装着した際には、嵌合部の外周から天板部に対して略垂直下方に延出したスカート部が、容器の開口部側の外側面を覆うため、スカート部の上から容器を把持すると、容器に充填された飲料等の熱が把持する手に伝わりにくくなる。
【０００７】
前記スカート部は、前記スカート部の形状変化が前記嵌合部に伝達することを遮断する形状変化遮断部を有するものでもよい。
【０００８】
前記スカート部は、前記天板部に対して略垂直下方に延出して設けられ、前記容器の少なくとも開口部側の外側面を覆う下行部と、前記下行部の下端から前記嵌合部に向けて略垂直上方に折り返されるように延出して設けられた上行部とを有するものでもよい。
【０００９】
前記スカート部には凹凸部が設けられてもよい。また、前記スカート部は蛇腹状に形成されており、最も伸長したときに前記容器の少なくとも開口部側の外側面を覆うように構成されてもよい。さらに、前記天板部には飲み口が設けられていてもよい。
【発明の効果】
【００１０】
本発明の蓋によれば、容器に装着することによってスカート部の上から容器を把持することができるので、容器に熱い飲料等が充填されていても把持しやすくすることができる。
【発明を実施するための最良の形態】
【００１１】
以下、本発明の第１実施形態の蓋について、図１および図２を参照して説明する。なお、以下の説明において、「上方」、「下方」等の方向を示す言葉は、別の説明がない限り、蓋を紙コップ等の容器に装着して、図１のように静置した状態における各方向を意味するものとする。
【００１２】
図１は本実施形態の蓋１を紙コップ（容器）２に装着した状態を示す斜視図である。図１に示すように、本実施形態の蓋１は、紙コップ２の開口部に装着する蓋であって、外周に紙コップ２の開口部の縁と嵌合する嵌合溝（嵌合部）３を有する天板部４と、嵌合溝３の側壁から延出して設けられるスカート部５とを備えて形成されている。
蓋１はポリスチレン、ポリプロピレン、ポリ塩化ビニル等の熱可塑性樹脂又はこれらの樹脂にフィラーを追加したものを、真空成形、圧空成形、真空圧空成形、あるいは射出成形等の公知の成形方法で加工することにより得ることができる。
【００１３】
天板部４は、嵌合溝３と、天板上面６と、天板側面７とを有して形成されている。天板上面６は紙コップ２の開口部を覆い、周縁部８に比して内側が一段低く形成されている。相対的に突出した周縁部８の上面の一部は切り取られて飲み口９が設けられている。天板側面７は、天板上面６の周縁から側面視において下方に緩やかに広がるテーパ状に形成され、天板側面７の下端に嵌合溝３が設けられている。
【００１４】
図２に示すように、嵌合溝３は嵌合突起１０と嵌合側壁１１とから形成される。嵌合突起１０は、天板側面７の下端から下方にわずかに延出した側面が上方に折り返されて平面視環状に形成される。嵌合側壁１１は、嵌合突起１０の端部が下方に折り返されて形成されている。また、嵌合側壁１１の外側面には、断続的に係合凸部１２が内側に突出して設けられている。
【００１５】
スカート部５は、嵌合側壁１１の端部が、側面視において下方に向かって緩やかに広がるテーパ状に延出して形成されており、スカート部５の下端はわずかに外側に折り返されている。スカート部５の長さは、スカート部５を介して紙コップ２を把持可能にするために、少なくとも紙コップ２の開口部側の外側面を覆うように設定される。
【００１６】
スカート部５の側面には嵌合側壁１１の端部からスカート部の下端にわたって略垂直の切り欠き１３が複数設けられており、スカート部５が複数の舌片１４に分割されている。各舌片１４には、水平面における断面が略Ｖ字状の凹凸部１５が紙コップ２の側面に向かって突出して設けられている。
【００１７】
上記のように構成された蓋１の動作について、以下に説明する。
飲料等が充填された紙コップ２の縁に形成されたリム１６に対して、嵌合溝３が嵌合するように上から蓋１を押し付ける。リム１６は嵌合側壁１１の側面に設けられた係合凸部１２を弾性変形させて乗り越え、さらに嵌合突起１０及び嵌合側壁１１を弾性変形させて、嵌合突起１０と嵌合側壁１１との間に嵌合する。このとき、係合凸部１２の上面にリム１６の下面が支持されて、蓋１が紙コップ２に確実に装着される。
【００１８】
この状態において、舌片１４の上から紙コップ２を把持した状態で、天板上面６に設けられた飲み口９から紙コップ２内の飲料等を摂取することができる。
【００１９】
本発明の蓋１によれば、紙コップ２に装着することによって、スカート部５の上から紙コップ２を把持することができるので、充填された飲料等の熱や冷気を強く感じずに、容易に紙コップ２を把持することができる。
また、スカート部５と紙コップ２の側面との間に空間が形成されるので、より断熱効果を高めることができる。
【００２０】
また、スカート部５が切り欠き１３によって複数の舌片１４に分割されているので、把持した際の各舌片１４の変形が隣接する舌片１４に与える影響が小さく、舌片１４の外側から紙コップ２を把持する際に、スカート部５全体が把持する手の形状に良好に追従することができる。
【００２１】
加えて、舌片１４には凹凸部１５が設けられているため、スカート部５の舌片１４は、内側に突出して形成された凹凸部１５の稜線のみで紙コップ２の側面に接する。従って、紙コップ２と舌片１４との接触面積が小さくなり、伝熱経路が規制されるので、断熱効果を高めることができる。
また、紙コップ２の開口部を覆う天板部４が、紙コップ２から充填された飲料等がこぼれるのを防ぐため、紙コップ２に装着して開口部を覆いつつ、熱い飲料等が充填された場合でも他の部材を用いずに把持しやすくすることができる。
【００２２】
さらに、嵌合溝３の嵌合側壁１１の側面に係合凸部１２が設けられているため、蓋が確実に紙コップ２に装着される。
また、天板上面６に飲み口９が設けられているため、スカート部５を把持したままで、紙コップ２に充填された飲料等を摂取することができる。
【００２３】
加えて、天板部４及びスカート部５が一体となって形成されているので、真空成形等で容易に作製することができる蓋を提供することができる。また、スカート部５が天板部４を上にした状態で、下方に緩やかに広がるテーパ状に形成されているので、蓋のみを積み重ねやすく、輸送や保管に適している。
【００２４】
そして、紙コップ２に発泡層を形成しなくても、通常の紙コップに蓋１を装着するだけで熱い飲料等が充填されていても把持しやすくことができるので、低コストで把持しやすい容器を構成することができる。
【００２５】
本実施形態においては、スカート部５が切り欠き１３によって複数の舌片１４に分割されている例を説明したが、これに代えて、スカート部５が、嵌合溝３の外周の全周にわたって形成されていてもよい。また、凹凸部１５は内側に突出する形状に代えて、外側に突出する形状としてもよく、水平面における断面形状もＶ字状に限定されない。さらに、側面視の形状も任意の形状を採用することができるので、紙コップ２に装着された際のデザイン性を高めることができる。
【００２６】
続いて、本発明の第２実施形態について図３及び図４を参照して説明する。第２実施形態と上述の第１実施形態の異なる点は、スカート部の形状である。
なお、上述の第１実施形態と同様の構成要素には同一の符号を付し、重複する説明を省略する。
【００２７】
図３及び図４に示すように、本実施形態の蓋２１のスカート部２２は、水平に交互に折り返されて、いわゆる蛇腹状に形成されている。従って、スカート部２２は一定の範囲内で垂直方向に伸縮自在に形成されている。
【００２８】
スカート部２２の長さは、スカート部２２を介して紙コップ２を把持可能にするために、最も伸長した際に少なくとも紙コップ２の開口部側の外側面を覆うように設定される
【００２９】
本実施形態の蓋２１を、飲料等を充填した紙コップ２に装着する際は、図３（ａ）のように、スカート部２２を折りたたんだ状態で装着し、紙コップ２を把持する際には、スカート部２２を伸ばして把持する。
【００３０】
本実施形態の蓋２１によれば、スカート部２２が伸縮自在に形成されているので、紙コップ２への装着時はスカート部２２を折りたたんで装着を容易にし、紙コップ２を把持する際はスカート部２２を伸ばして把持しやすくするといったように、使用状況に合わせてスカート部２２を好適な形状に変化させることができ、利便性を向上させることができる。
【００３１】
また、使用後に廃棄する際にもスカート部２２を折りたたんで廃棄すると容積を小さくすることができ、廃棄物の量を減少させることができる。さらに、積み重ねて輸送や保管をする際にもスカート部２２を折りたたんで容積を小さくすることができる。
【００３２】
続いて、本発明の第３実施形態について図５を参照して説明する。第３実施形態と上述の第１実施形態の異なる点は、スカート部に形状変化遮断部が設けられている点である。
なお、上述の第１実施形態と同様の構成要素には同一の符号を付し、重複する説明を省略する。
【００３３】
図５は本実施形態の蓋３１を紙コップ２に装着した状態を示す斜視図である。本実施形態のスカート部３２には、図５に示すように、スカート部３２と嵌合溝３の嵌合側壁１１との境界であって舌片３３が延出する基部３４に、略水平にスリット３５（形状変化遮断部）が設けられており、舌片３３が部分的に切断されている。スリット３５の長さは基部３４の幅の１／２から４／５程度が好ましく、スリット３５が基部３４の左右端に達しないように設けられる。
【００３４】
蓋３１を装着した紙コップ２を把持した際の蓋３１の動作について説明する。舌片３３を把持することによって各舌片３３は押されて紙コップ２の側面に向かって凸となるように撓み、形状が変化する。各舌片３３は嵌合溝３の嵌合側壁１１の側面から延出しているため、舌片３３の形状変化に伴って嵌合溝３にも撓みが生じ、紙コップ２のリムと嵌合溝３との嵌合が弱まる。
【００３５】
本実施形態の蓋３１においては、舌片３３と嵌合側壁１１とが基部３４に設けられたスリット３５によって部分的に離断されているので、舌片３３の撓みによる形状変化がスリット３５で遮断され、嵌合溝３が撓みにくい構造となっている。
【００３６】
本実施形態の蓋３１によれば、舌片３３の形状変化が嵌合溝３に伝達しにくいので、舌片３３の上から紙コップ２を把持した際にも嵌合溝３の形状が変化しにくく、リムと嵌合溝３とが確実に嵌合した状態を維持することができる。
【００３７】
なお、本実施形態においては、スリット３５が各舌片３３の基部３４の左右端にかからないよう形成されている例を説明したが、これに代えて、各舌片３３の基部３４の左右の端部からそれぞれ一定の流さのスリットを設けてもよい。また、スリット３５に代えて長方形や長円形の切り欠きを舌片３３に設けることによって切断部を設けてもよい。
なお、形状変化遮断部は、スカート部において実際に把持される部分と嵌合側壁との間に位置していればよく、設置場所は基部に限定されない。
【００３８】
次に、本発明の第４実施形態について図６ないし図８を参照して説明する。第４実施形態と上述の第１実施形態の異なる点は、スカート部が下方に延出する下行部と、下行部の下端が上方に折り返された上行部とを有する点である。
なお、上述の第１実施形態と同様の構成要素には同一の符号を付し、重複する説明を省略する。
【００３９】
図６は本実施形態の蓋４１を紙コップ２に装着した状態を示す斜視図である。図６及び図７に示すように、本実施形態の蓋４１のスカート部４２は、略下方に延出し、少なくとも紙コップの開口部側の外側面を覆う下行部４３と、下行部４３の下端から略上方に折り返された上行部４４とを有して形成されている。
【００４０】
上行部４４は側面視において、上方に向かって緩やかに広がるテーパ状に形成されている。上行部４４の長さは、スカート部４２を介して紙コップ２を把持可能にするために、下行部４３と同程度の長さとするのが好ましい。
【００４１】
上記のように形成されたスカート部４２は、図７に断面図で示すように、下行部４３と上行部４４の２層の部材によって形成されている。従って、蓋４１が装着された紙コップ２を把持した場合、把持する手と紙コップ２の側面との間には、下行部４３及び上行部４４の２層の部材が存在する。
【００４２】
本実施形態の蓋４１によれば、把持する手と紙コップ２の側面との間に、２層構造となったスカート部４２が介在するので、より高い断熱効果を有する。従って、紙コップ２に熱い飲料等が充填されていても、蓋４１を装着することによって容易に把持することができる。
【００４３】
また、上行部４４が、側面視において上方に向かって緩やかに広がるテーパ状に形成されているので、把持する手の形状にマッチしやすい形状に蓋４１を形成することができる。加えて、下行部４３及び上行部４４がいずれも側面視で緩やかなテーパ状に形成されているので、蓋４１の積み重ねが容易であり、輸送や保管における利便性を向上させることができる。
【００４４】
本実施形態においては、嵌合溝３の外周の全周にわたってスカート部４２が設けられている例を説明したが、図８に示す変形例のように、外周の一部にスカート部５２が設けられてもよい。この場合、下行部５３と上行部５４のみを形成すると、スカート部５２の安定性が低下するため、図８のように下行部５３の左右端と上行部５４の左右端を一体に成形し、スカート部５２を袋状に形成するのが好ましい。
また、上行部４４の上端をさらに下方に折り返し、スカート部を３層以上の構成としてもよい。
【００４５】
以上、本発明の実施形態について説明してきたが、本発明の技術範囲は上記実施の形態に限定されるものではなく、本発明の趣旨を逸脱しない範囲において種々の変更を加えることが可能である。
例えば上述の各実施形態においては、紙コップに装着する例を説明したが、装着の対象となる容器はこれに限定されず、嵌合溝に開口部の縁が嵌合するものであれば、発泡スチロールや他の樹脂、金属等あらゆる材質の容器に装着して把持した際の断熱性を向上させることが可能である。
【００４６】
また、対象となる容器は開口部が円形のものに限定されず、対象の容器の開口部と嵌合するように設計及び成形することで、あらゆる形状の開口部に装着可能に本発明の蓋を構成することができる。
【００４７】
また、上述の各実施形態においては、天板上面の一部が切り取られて飲み口が形成されている例を説明したが、これに代えて、スリットを設けるなどして、嵌合溝で容器を支持しつつ天板上面全体が大きく開口するように蓋を構成してもよい。このようにすれば、固形の具材などを含む食品等が容器に充填されている場合でも、断熱部を把持しつつ充填された食品等を摂取することが可能である。
【図面の簡単な説明】
【００４８】
【図１】本発明の第１実施形態の蓋を紙コップに装着した状態を示す斜視図である。
【図２】図１の断面図である。
【図３】本発明の第２実施形態の蓋を紙コップに装着した状態を示す斜視図である。
【図４】図３（ｂ）の断面図である。
【図５】本発明の第３実施形態の蓋を紙コップに装着した状態を示す斜視図である。
【図６】本発明の第４実施形態の蓋を紙コップに装着した状態を示す斜視図である。
【図７】図６の断面図である。
【図８】同実施形態の変形例を示す斜視図である。
【符号の説明】
【００４９】
１、２１、３１、４１…蓋、２…紙コップ（容器）、３…嵌合溝（嵌合部）、４…天板部、５、２２、３２、４２、５２…スカート部、９…飲み口、１５…凹凸部、３５…スリット（形状変化遮断部）、４３…下行部、４４…上行部
【図１】
2008155972.tif 000003
【図２】
2008155972.tif 000004
【図３】
2008155972.tif 000005
【図４】
2008155972.tif 000006
【図５】
2008155972.tif 000007
【図６】
2008155972.tif 000008
【図７】
2008155972.tif 000009
【図８】
2008155972.tif 000010